Podtech/llm-jp-corpus-v4-ja_patent huggingface dataset:
(57)【特許請求の範囲】
【請求項１】
光を透過する材料を用いたお椀型カバーで覆われている表示機器において、
一筐体内の平面上に複数の光源を配置し、光を遮断する仕切板で複数のブロックに前記光源を分け、
前記仕切板は前記お椀型カバーの内径に沿った形状とし、
前記ブロック毎にそれぞれ光らせた場合の明るさを同一にしておき、
前記ブロック毎に順次点灯させることで回転灯とし、全ての前記ブロックを点灯させることで全体を表示する表示灯とする表示機器。
【発明の詳細な説明】
【技術分野】
【０００１】
本発明は、状態を示す表示灯と注意を促す回転灯を兼ねる表示機器に関するものである。
【背景技術】
【０００２】
従来、筐体全体が光る表示灯の場合、筐体内部の全体に光源を配置して全てを光らせる構成のものがあり、回転灯の場合、筐体内部の外周部に光源を配置して順番に光源を光らせて回転灯に見せる構成のものがあった。（例えば、特許文献１参照）
【０００３】
また、一台で表示灯と回転灯を両立しているものは、電飾看板の様に中央の筐体で全体が光る表示灯とし、その周囲に回転灯を別筐体として配置し、光源を順次点灯させることで回転している様に見せている構成のものがあった。
【先行技術文献】
【特許文献】
【０００４】
【特許文献１】特開２０１０−３７１０号公報
【発明の概要】
【発明が解決しようとする課題】
【０００５】
表示灯と回転灯とを両立するために２種類の光源及び個別筐体を使用する構成ではデザイン性の制限や部品点数が多くコストメリットが低下する。また、一筐体内で回転灯と表示灯を両立させるために、図１に示すように全体表示灯の外周部の光源１を使用すれば回転灯として見せられるものの、筐体内部で回転灯の光が全体に漏れて全体も薄く光り回転灯としての効果が少なくなる。それを補うために図２のように回転灯の周囲に反射板３を設けて側面を光るようにすると、その光源２は側面に向けては光るが他方向に光らず、その結果、全体が光らなくなり全体表示灯として使用できなくなる。
【課題を解決するための手段】
【０００６】
上記課題を解決するため、本発明は、光を透過する材料を用いたお椀型カバーで覆われている表示機器において、一筐体内の平面上に複数の光源を配置し、光の回り込みを遮断する仕切板で複数のブロックに前記光源を分け、前記仕切板は前記お椀型カバーの内径に沿った形状とし、前記ブロック毎にそれぞれ光らせた場合の明るさを同一にしておき、前記ブロック毎に順次点灯させることで回転灯とし、全ての前記ブロックを点灯させることで全体を表示する表示灯とする表示機器を提供する。
【発明の効果】
【０００７】
本発明のように一筐体内でお椀型カバーの内径に沿った形状とした仕切板をブロック毎に設けることにより、光源を順次点灯させる場合には光源からの光が周囲に漏れず、部分的に鮮明に光らせることができる。また、光源を全て点灯する場合には、全体を均一に光らせることができる。さらに、回転灯と全体を表示する表示灯の光源を共通にできコストダウンも可能となる。
【図面の簡単な説明】
【０００８】
【図１】本発明の解決しようとする課題の状態を示した図である。
【図２】本発明の解決しようとする課題の状態を示した図である。
【図３】本発明の実施形態の構成を示した図である。
【発明を実施するための形態】
【０００９】
図３は本発明の実施形態の構成を示した図である。
本体４の平面上に複数の光源５を配置し、光を遮断する仕切板６で複数のブロックに光源５を分け、光を透過する材料を用いたお椀型カバー７で本体４を覆う。前記ブロック毎に光源５を光らせた場合の明るさを同一にしておき、仕切板６はお椀型カバー７の内径に沿った形状とする。お椀型カバー７は本体４を覆った時に仕切板６と接触して各前記ブロックの光が隣のブロックに漏れないようにする。
【００１０】
この構成にすることにより、ブロック毎に順次点灯させることで回転灯として使用でき、全てのブロックを点灯させることで全体を表示する表示灯として使用できる。
【符号の説明】
【００１１】
１・・・光源
２・・・光源
３・・・反射鏡
４・・・本体
５・・・光源
６・・・仕切板
７・・・カバー
【図１】
0006119016.tif 000002
【図２】
0006119016.tif 000003
【図３】
0006119016.tif 000004
(57)【特許請求の範囲】
【請求項１】
カルバミド水溶液から高純度結晶性カルバミドを生成する方法であって、カルバミドを結晶化し、且つ乾燥させる工程を有し、前記カルバミド水溶液は＋３０℃〜＋１３０℃の温度まで加熱され、前記水溶液は４００Ｖ〜６００Ｖの電圧の電気透析によって精製される、方法。
【請求項２】
請求項１記載の方法において、前記カルバミド水溶液は、３０％の濃度で＋３０℃まで、５０％の濃度で＋４０℃〜５０℃まで、７０％の濃度で＋７０℃〜８０℃まで、９０％及びそれ以上の濃度で＋９０℃〜１３０℃まで加熱される方法。
【発明の詳細な説明】
【技術分野】
【０００１】
本発明は、カルバミド生成の分野、特に高純度結晶性カルバミドを生成する方法に関する。
【背景技術】
【０００２】
今日では、粒状化カルバミドおよび結晶性カルバミドを調整する広く周知の方法がある。カルバミドを生成する産業上の方法は、二酸化炭素およびアンモニアから得られるカルバミド水溶液の結晶に基づく。しかし、周知の方法によって得られたカルバミドは、食品産業用の、及び研究所分析のための試薬としての用途のための充分な純度を有しない。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  露国特許第２０４１２０２号明細書
（特許文献２）  ソビエト社会主義共和国連邦特許第９５３９７８号明細書
（特許文献３）  国際公開第１９８９／００１４６８号
（特許文献４）  国際公開第２００６／０６１０８２号
【発明の概要】
【発明が解決しようとする課題】
【０００３】
プロトタイプに選ばれる最も精密な技術的な解決策は、二酸化炭素およびアンモニアを基に得られる結晶性カルバミドを生成する方法である（ロシア特許第２０４１２０２号）。この方法は、過飽和溶液の全体積におけるカルバミドを結晶化し、結晶から水を除去して凝縮塊を得て、その後それらを濾過および乾燥させることよって、カルバミドの結晶を摘出することを含む。しかし、この得られたカルバミドも、食品産業用の、及び研究所分析のための試薬としての用途のための充分な純度を有しない。
【０００４】
本発明の目的は、高純度結晶性カルバミドを提供することである。
【課題を解決するための手段】
【０００５】
本発明の目的は、カルバミド水溶液から高純度結晶性カルバミドを生成する方法であって、カルバミドを結晶化し、且つ乾燥させる工程を有する方法によって達成され、本発明によれば、前記カルバミド水溶液は＋３０℃〜＋１３０℃の温度まで加熱され、その後、前記水溶液は４００Ｖ〜６００Ｖの電圧の電気透析によって精製され、前記水溶液は、３０％の濃度で＋３０℃まで、５０％の濃度で＋４０℃〜５０℃まで、７０％の濃度で＋７０℃〜８０℃まで、９０％及びそれ以上の濃度で＋９０℃〜１３０℃まで加熱される。
【図面の簡単な説明】
【０００６】
【図１】本発明の方法を実施するための装置を図１に示す。当該装置は、始めのカルバミド溶液のための貯蔵容器１、電気透析ユニット２、容器１から電気透析ユニット２まで溶液を供給するためのポンプ３、精製されたカルバミド溶液のための容器４、精製されたカルバミド溶液を容器４に供給するためのポンプ５、蒸発および結晶化ユニット６、及び容器４から蒸発および結晶化ユニット６まで精製されたカルバミドを供給するためのポンプ７を備えている。
【発明を実施するための形態】
【０００７】
この方法は、以下の通りに実行される。貯蔵容器１に存在するクルードのカルバミド水溶液が＋３０℃〜＋１３０℃の動作温度まで加熱され、カルバミドの早期の結晶化を回避する。ここで、当該水溶液は３０％の濃度で＋３０℃まで、５０％の濃度で＋４０℃〜５０℃まで、７０％の濃度で＋７０℃〜８０℃まで、９０％及びそれ以上の濃度で＋１００℃〜１２０℃まで加熱される。溶液の濃度とその加熱温度の関係を実験的に測定し、表１に示す。
【０００８】
【表１】
0006067736.tif 000002
【０００９】
表１からわかるように、カルバミドは３０℃未満のカルバミド溶液の温度で部分的に結晶状態に変化する。１３０℃以上に溶液を加熱すると、尿素の部分的な加水分解が生じ、二量体化してビウレットとなり、そのビウレットの精製カルバミド中の含有量は厳密に正規化される。
【００１０】
その後、溶液はポンプ３によって電気透析ユニット２に供給される。電気透析ユニット２において、塩形成イオンが４００Ｖ〜６００Ｖの電流によって当該溶液から除去される。この範囲は、プロセスの量／品質の比率の最適なパフォーマンスを提供する。電圧が６００Ｖを超えるとき、結果として生じる産物は、研究所分析や食品産業に適用できる精製カルバミドの要件を満たさない。電圧が４００Ｖ以下であるとき、電気透析精製プロセスはゆっくりになり、その結果、プロセスの効率が低くなる。脱イオン化プロセスの後、精製された溶液はポンプ５によって貯蔵容器４に供給され、その後、ポンプ７によって蒸発および結晶化ユニット６に供給される。ここで、当該溶液は精製された結晶性カルバミド（カルバミド結晶）と脱イオン水とに分離される。乾燥と同時のカルバミドの結晶化は、大気圧下で１１０℃〜１５０℃まで、または５０〜１０ｍｍＨｇ．の真空圧力下で５０℃〜８０℃まで、当該溶液を加熱することで実行される。
【００１１】
本願発明に係る方法によって得られたカルバミドの品質パラメータを表２に示す。
【００１２】
【表２】
0006067736.tif 000003
【００１３】
このように、得られた結晶性カルバミドの精製は、食品産業（食品添加物Е９２７ｂ）における添加物としての、また研究所分析のための試薬としての用途を可能にする。
【００１４】
さらに、得られた高純度結晶性カルバミドは、ポリプロピレン・バッグまたは他の同様の容器に包装される。得られた脱イオン化水は副産物であり、フロントガラス洗浄のための不凍液の成分としての用途という対象となるアプリケーションがある。
【図１】
0006067736.tif 000004